【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
所定の箇所を照らすことができる発光体と、この発光体を一端に取り付け任意の方向へ可動可能なフレキシブル部材と、このフレキシブル部材の他端を接続し前記発光体へ電力を供給可能な制御ユニットとを具備した照明装置において、
前記フレキシブル部材は、前記発光体を接続して成る配線と、この配線を直結される受電端子とを備えて成り、
前記制御ユニットは、前記受電端子に嵌合可能な給電端子を備えて成り、
前記フレキシブル部材を前記制御ユニットから取り外し可能に構成したことを特徴とする。
【請求項２】
前記制御ユニットは、所定の電力を蓄電して成るバッテリを備えており、前記給電端子は、バッテリに接続されていることを特徴とする請求項１に記載の照明装置。
【請求項３】
前記発光体および前記フレキシブル部材は、事前に滅菌処理されて成り、滅菌状態を維持可能な包装体内に密閉されて成ることを特徴とする請求項１または請求項２に記載の照明装置。
【請求項４】
前記制御ユニットは、前記バッテリの蓄電残量を表示する残量表示部を備えて成ることを特徴とする請求項２または請求項３に記載の照明装置。
【請求項５】
前記制御ユニットは、前記バッテリと給電端子との間に配され、前記受電端子へ供給する電力を制御する電気回路を備えて成り、
前記電気回路は、受電端子へ供給する電流を調整するための調整手段に接続されて成り、
前記調整手段は、前記電流を段階的または無段階の何れかで調整するよう構成したことを特徴とする請求項２ないし請求項４の何れかに記載の照明装置。
【請求項６】
前記フレキシブル部材は、切開部に装着され当該切開部を開き術野を確保する手術用器具に取り付けられて成り、
前記発光体は、切開部から深部に位置する患部および患部周辺を照らすよう位置調整されて成ることを特徴とする請求項１ないし請求項５の何れかに記載の照明装置。
【請求項７】
前記電気回路は、前記発光体の発する照度を調整して成る調光回路または／および前記発光体の発する色合いを調整して成る調色回路として構成したことを特徴とする請求項５または請求項６に記載の照明装置。
【請求項８】
前記調整手段は、前記電流を回転により調整できる可変抵抗器であることを特徴とする請求項５ないし請求項７の何れかに記載の照明装置。
【請求項９】
前記調整手段は、前記電流を調整できる押しボタンスイッチであることを特徴とする請求項５ないし請求項７の何れかに記載の照明装置。
【請求項１０】
前記発光体は、１種の色彩を発色する白色発光素子で構成したことを特徴とする請求項１ないし請求項９の何れかに記載の照明装置。
【請求項１１】
前記発光体は、前記白色発光素子を複数個配した集合体であることを特徴とする請求項１ないし請求項１０の何れかに記載の照明装置。
【手続補正２】
【補正対象書類名】明細書
【補正対象項目名】０００９
【補正方法】変更
【補正の内容】
【０００９】
本発明は、上述した課題を解決することを目的としており、所定の箇所を照らすことができる発光体と、この発光体を一端に取り付け任意の方向へ可動可能なフレキシブル部材と、このフレキシブル部材の他端を接続し前記発光体へ電力を供給可能な制御ユニットとを具備した照明装置において、前記フレキシブル部材は、前記発光体を接続して成る配線と、この配線を直結される受電端子とを備えて成り、前記制御ユニットは、前記受電端子に嵌合可能な給電端子を備えて成り、前記フレキシブル部材が、前記制御ユニットから取り外し可能に構成したことを特徴とする。また、前記制御ユニットは、所定の電力を蓄電して成るバッテリを備え、前記給電端子は、バッテリに接続されていることが好ましい。なお、前記発光体および前記フレキシブル部材は、事前に滅菌処理されて成り、滅菌状態を維持可能な包装体内に密閉されて成ることが好ましい。また、前記制御ユニットは、前記バッテリの蓄電残量を表示する残量表示部を備えて成ることが好ましい。さらに、前記制御ユニットは、前記バッテリと給電端子との間に配され、前記受電端子へ供給する電力を制御する電気回路を備えて成り、前記電気回路は、受電端子へ供給する電流を調整するための調整手段に接続されて成り、前記調整手段は、前記電流を段階的または無段階の何れかで調整するよう構成してもよい。また、前記フレキシブル部材は、切開部に装着され当該切開部を開き術野を確保する手術用器具に取り付けられて成り、前記発光体は、切開部から深部に位置する患部および患部周辺を照らすよう位置調整されて成ることが好ましい。さらに、前記電気回路は、前記発光体の発する照度を調整して成る調光回路または／および前記発光体の発する色合いを調整して成る調色回路として構成してもよい。また、前記調整手段は、前記電流を回転により調整できる可変抵抗器または、前記電流を調整できる押しボタンスイッチの何れかで構成してもよい。前記発光体は、１種の色彩を発色する白色発光素子で構成してもよく、さらに、前記白色発光素子を複数個配した集合体であってもよい。
【手続補正３】
【補正対象書類名】明細書
【補正対象項目名】００１０
【補正方法】変更
【補正の内容】
【００１０】
以上説明したように本発明に係る照明装置は、制御ユニットから発光体を備えるフレキシブル部材を脱着可能な構成のため、制御ユニットのみを即座に交換可能という利点がある。また、制御ユニットがバッテリを備えているため、手術中であっても発光体の位置を変えることなく電力を充分に蓄電しているバッテリを内蔵した制御ユニットへ容易に交換できるため、という利点がある。また、本発明の照明装置は、前記フレキシブル部材を滅菌処理されて包装体に密閉されているので、手術に一度使用された制御ユニットと、包装体から取り出された前記フレキシブル部材とを接続して制御ユニットを再利用できる。つまり、充分な蓄電量を残すバッテリを従来のように１度の手術で廃棄処分しなくてもよいという利点もある。さらに、本発明の照明装置は、バッテリの蓄電残量を表示する残量表示部を備えるので、手術中などであってもバッテリの寿命を適宜知ることができるという利点もある。また、本発明の照明装置は、前記発光体へ供給する電流を調整できる調整手段を備えるので、発光体の照度や色温度を適宜微調整できるという利点もある。さらに、本発明の照明装置は、手術用器具の一例である筋鈎などにフレキシブル部材を取り付け可能であり、当該フレキシブル部材の先端に配された発光体を患部周辺へ向くよう位置調整可能なため、術野を確保できるという利点もある。しかも、本発明の照明装置は、発光体の照度を調整可能な調光回路を備えるため、発光体を交換することなく術野の明るさを変更できるという利点もある。また、前記調光回路を、発光体の発する色彩を変更可能とする調色回路に置き換えることで、照射する光の色合いを目など疲労し難く執刀者のストレスが少ないものへ容易に調整できるという利点もある。さらに、本発明の照明装置は、回転させることで無段階に電流を調整可能な可変抵抗器を備えるので、発光体の照度や色彩の調整が容易であるという利点もある。また、この可変抵抗器を、押すことで段階的に前記電流を調整可能な押しボタンスイッチに置き換えることで、執刀者が１つの指を使って発光体の照度や色彩を容易に調整できるという利点もある。しかも、本発明の照明装置は、１種の色彩を発色する白色発光素子を前記発光体として成るので、当該白色発光素子を複数個配置するような発光体に比べて低コストにより製造できるという利点もある。また、本発明の照明装置は、前記白色発光素子を複数個配して成る集合体とする発光体を備えるので、例えば、１つの白色発光素子が寿命などにより発光しなくなっても残りの白色発光素子が発光するので術野の照度を著しく低下させ難いという利点もある。